(57)【要約】【課題】ペーパーエンド時のトナー消費を抑制することが可能な複数面転写機能を有するデジタル画像形成装置を提供する。【解決手段】転写媒体に画像を書き込み、書き込まれた画像をトナー現像し、転写媒体上にトナー画像を形成する作像手段と、前記転写媒体上に作像されたトナー画像がさらに転写され、当該転写された画像を複数面担持可能な中間転写媒体と、転写紙を供給する給紙手段と、前記各手段を制御し、前記中間転写媒体の転写位置に前記転写紙を供給し、当該転写紙上に画像を形成させる制御手段とを備えたデジタル画像形成装置において、入力された画像データを少なくとも１面分記憶できる記憶手段と、この記憶手段の制御を司る記憶制御手段とを備え、前記記憶制御手段は、前記中間転写体上に形成する面の数が複数であるモードで画像を形成しているとき、２面目以降の画像を転写する転写紙がなくなった場合には、前記記憶手段へのアクセスを中止する。【選択図】図１３
2006079108.tif 000002
【特許請求の範囲】
【請求項１】
転写媒体に画像を書き込み、書き込まれた画像をトナー現像し、転写媒体上にトナー画像を形成する作像手段と、
前記転写媒体上に作像されたトナー画像が複数回転写され、当該転写されたカラー画像を複数面担持可能な中間転写媒体と、
転写紙を供給する給紙手段と、
前記各手段を制御し、前記中間転写媒体の転写位置に前記転写紙を供給し、当該転写紙上に画像を形成させる制御手段と、
を備えたデジタル画像形成装置において、
前記制御手段は、前記中間転写体上に形成する面の数が複数に設定されたモードで画像を形成しているとき、２面目以降の画像を転写する転写紙がなくなった場合には、前記転写紙がなくなった面数以降の画像形成を停止することを特徴とするデジタル画像形成装置。
【発明の詳細な説明】
【技術分野】
【０００１】
本発明は、中間転写体に複数の画像を担持し、中間転写体一回転に付き複数の画像を転写紙に転写してプリント出力効率を高めたデジタル画像形成装置に係り、特に、カラー画像を形成する際のペーパーエンド時におけるトナーの消費低減を考慮したデジタル画像形成装置に関する。
【背景技術】
【０００２】
近年、デジタルカラー画像形成装置のプリントスピードに対する高速化要求が高まっている。そこで、中間転写体に顕像化されたトナー画像を一度に複数面担持させ、中間転写体の１回転で１色の複数画像を形成し、中間転写体の１回転あたりの画像形成数を増加させることにより全体として画像形成速度を向上させるような画像形成装置が使用されている。この例を、図１４ないし図１６に示す。
【０００３】
図１４は、本発明の前提となる画像形成装置の要部を示す構成図であり、詳細は、本出願人の出願に係る特開平１０−２５４２１４号公報に開示されているものである。図に示すように、画像形成装置は、レーザ書込部１、ミラー２、感光体３、帯電器４、現像器５、中間転写ベルト６、マーク検出センサ７、濃度センサ８、給紙部９、定着部１０及び排紙部１１を有する。また、画像形成装置は、電装系として、図に示すように画像読取部２１、画像処理部２２、セレクタ２３、入力制御部２４、主制御部２５、画像形成制御部２６、位置関係記憶部２７及び濃度検査部２８を有する。
【０００４】
レーザ書込部１は、画像形成制御部２５からの制御に応じて感光体３表面にレーザ光を照射し、静電潜像を形成する。また、レーザ書込部１は感光体３上に潜像形成が終わった後に形成した静電潜像と同じ色の予め定めたパターン画像を描く。ミラー２はレーザ書込部１からのレーザ光を感光体３に向けて反射する。感光体３は、まず帯電チャージャ４によって生じるコロナ電流によって表面を一様に高電位に帯電する。したがって、この面にレーザ書込部１の発するレーザ光が照射されると、その光の強度に応じて帯電電位が変化し、レーザ光の照射の有無に応じた電位分布が感光体３上に形成される。現像器５は、感光体３上の静電潜像を基にトナー像を形成するものであり、例えばＭ（マゼンタ）、Ｃ（シアン）、Ｙ(黄色)及びＢＫ(黒色)の各色のトナーを保持する。
【０００５】
中間転写ベルト６は、例えばＡ４サイズ等の基準となる画像サイズの少なくとも２倍の長さを有し、例えば２色以上で構成された画像を印刷する場合は画像を形成する各色のトナー像を重ねて転写し、その画像を転写紙に転写するまで保持する。また、中間転写ベルト６は、図１６に示すように表面に位置合わせ用マーク（以下、単に「マーク」と称する。）６１を備える。マーク検出センサ７は、中間転写ベルト６の表面の位置合わせ用マーク６１を検出し、その位置合わせ用マーク６１の検出信号を出力する。濃度センサ８は、感光体３上に潜像形成が終わった後にレーザ書込部１が感光体３上に描いたパターン画像の濃度を検出し、その濃度を示す信号を出力する。給紙部９は中間転写ベルト６に転写したトナー像の先端部に合わせて転写紙を供給する。定着部１０は中間転写ベルト６から転写紙に転写したトナー像を転写紙に定着する。排紙部１１は定着部１０で画像を定着した後の転写紙を排紙する。
【０００６】
図１５は図１４の画像形成装置の電装系の概略を示すブロック図である。同図において、画像読取部２１は、原稿画像の主走査方向１ラインのＲ(赤色)、Ｇ(緑色)、Ｂ(青色)、の各色の成分を検出し、その色成分を示す信号を出力する。
【０００７】
画像処理部２２は、画像読取部２１が原稿から読み取った画像データに対して画像処理を行なう部分であり、画像読取部２１から読み込んだＲ(赤色)、Ｇ(緑色)、Ｂ(青色)の各色の画像データをＣ(シアン)、Ｍ(マゼンタ)、Ｙ(黄色)、ＢＫ(黒色)の各色の画像データに変換する。セレクタ２３は変換したＣ、Ｍ、Ｙ、ＢＫのいずれか一色を選択する。入力制御部２４は画像読取部２１の読み取りタイミング等を制御する。主制御部２５は装置全体の動作を制御する。
【０００８】
画像形成制御部２６はレーザ書込部１による感光体３上の静電潜像形成等を制御する部分である。画像形成制御部２６は、例えば１色で構成された複数の画像を印刷する場合は画像サイズにより定まる一定周期で各トナー像を中間転写ベルト６に転写するようにレーザ書込部１を制御し、中間転写ベルト６に転写したトナー像の位置と位置合わせ用マーク６１の位置との位置関係を位置関係記憶部２７に記憶する。さらに、画像形成制御部２６は、２色以上で構成された複数の画像を印刷する場合は位置合わせ用マーク６１の検出を基準として中間転写ベルト６の長さと転写する画像のサイズにより定まる数のトナー像を予め定めた一定間隔をおいて続けて各画像のトナー像を重ね合わせるようにレーザ書込部１を制御する。さらに、画像形成制御部２６は、１色で構成された画像のトナー像に続いて２色以上で構成された画像のトナー像を印刷する場合は、１色で構成された画像のトナー像を中間転写ベルト６に転写し、位置関係記憶部２７に記憶した中間転写ベルト６上のトナー像の先端位置と位置合わせ用のマーク６１との関係を基に１色で構成された画像のトナー像に並べて２色以上で構成された画像の各色のトナー像を重ね合わせるようにレーザ書込部１を制御する。さらに、画像形成制御部２６は、レーザ書込部１が画像を感光体３上に形成したら、各色毎に予め定
めたパターン画像を感光体３上に描くように制御する。
【０００９】
濃度検査部２８は、濃度センサ８が出力したパターン画像の濃度信号を基に感光体３上に形成した画像の各色の濃度検査を行なう部分であり、特に１色で構成された画像に続いて２色以上で構成された画像を転写する場合において、２色以上で構成された画像については１色で構成された画像の色以外の色に対して濃度検査を行なう。
【００１０】
２色以上で構成された画像を印刷する場合であって、形成する画像のサイズが大きくない場合(形成する画像サイズが、例えばＡ４サイズの場合)は、中間転写ベルト６に複数の画像を形成できる。マーク検出センサ７が、中間転写ベルト６上の位置合わせ用マーク６１を検出したら１画面目(１つ目の画像)の画像の書き込みプロセス及び濃度検査処理を実行する。１画面目の画像の書き込みプロセス及び濃度検査処理が終わると、検出した位置合わせ用マーク６１及び書き込んだトナー像のサイズを基準として２画面目(２つ目の画像)の画像の先端部の位置を特定し、同様にして２画面目の画像の書き込みプロセス及び濃度検査処理を実行する。このようにして画像を構成する全ての色に対するトナー象を中間転写ベルト６に転写したら、中間転写ベルト６に転写した画像の先端部に合わせて転写紙の給紙を開始し、中間転写ベルト６上の画像を転写紙に転写する。その後、次ぎの画像がある場合は、上記処理を繰り返す。このように、複数の画像を中間転写ベルト６に転写することにより、中間転写ベルト６の空回りの時間をなくし、転写紙の給紙待ち時間を少なくし、２色以上で構成された画像の印刷効果を高めることができる。
【００１１】
この特開平１０−２５４２１４号公報に開示された画像形成装置では、１回の作像工程で２画面のトナー画像を中間転写体に形成し、近接して搬送されてくる２枚の転写紙に別々にトナー画像を転写するいわゆる２面取りモードを行うようになっている。
【発明の開示】
【発明が解決しようとする課題】
【００１２】
しかし、このような２面取りモードでは、転写紙が1枚しかないにもかかわらず、２面取りモードを実行すると、１枚目の作像要求信号で、２枚分の作像動作に入ってしまうため、２枚目の転写紙に対するトナー画像は、転写紙に転写されることなく、クリーニング部で掻き取られていた。すなわち、２枚目の転写紙に対するトナー画像の画像形成が全く無駄に終わっていた。また、このように画像形成が無駄に終わるということは、その無駄に終わった画像形成に使用したトナーが全く無駄であったということを意味する。すなわち、モノクロ印刷のように地肌には何も印刷しないものとは異なり、カラー画像では、転写紙全面にトナーが転写されるので、トナーの無駄がモノクロ画像に比べて非常に多くなる。また、無駄な画像を印刷した分だけ、余分に各部を使用したことになり、その分寿命も短くなることは否めない。
【００１３】
本発明は、このような背景に鑑みてなされたもので、その目的は、ペーパーエンド時のトナー消費を抑制することが可能な複数面転写機能を有するデジタルカラー画像形成装置を提供することにある。
【課題を解決するための手段】
【００１４】
前記目的を達成するため、第１の手段は、転写媒体に画像を書き込み、書き込まれた画像をトナー現像し、転写媒体上にトナー画像を形成する作像手段と、前記転写媒体上に作像されたトナー画像が複数回転写され、当該転写されたカラー画像を複数面担持可能な中間転写媒体と、転写紙を供給する給紙手段と、前記各手段を制御し、前記中間転写媒体の転写位置に前記転写紙を供給し、当該転写紙上に画像を形成させる制御手段とを備えた画像形成装置において、前記制御手段は、前記中間転写体上に形成する面の数が複数に設定されたモードで画像を形成しているとき、２面目以降の画像を転写する転写紙がなくなった場合には、前記転写紙がなくなった面数以降の画像形成を停止するように構成した。
【発明の効果】
【００１５】
以上のように本発明によれば、中間転写体上に形成する面の数が複数に設定されたモードで画像を形成しているとき、２面目以降の画像を転写する転写紙がなくなった場合には、前記転写紙がなくなった面数以降の画像形成を停止するので、無駄なトナー消費を抑えることができる。
【発明を実施するための最良の形態】
【００１６】
以下、本発明の実施形態について図面を参照して説明する。なお、機械的構成や複数面取りの原理は前述の従来と同等なので、同等な各部には同一の参照符号を付し、重複する説明は省略する。
【００１７】
＜第１の実施形態＞
図１は第１の実施形態に係るデジタルカラー画像形成装置としてのデジタルカラー複写機の概略構成を示すブロック図である。同図において、デジタルカラー複写機Ａは、操作部１００、自動原稿給送装置（ＡＤＦ）２００、スキャナ／イメージプロセッサユニット（以下、「スキャナ／ＩＰＵ」と称す）３００、プリンタ部４００、メイン制御部６００、給紙部（以下、「バンク部」と称す）、およびパワーサプライユニット（以下、「ＰＳＵ」と称す）から基本的に構成されている。
【００１８】
操作部１００は、コピー画像形成動作開始を指示するコピープリントスタートキー、複写枚数などを設定するときに使用するテンキー、デジタルカラー複写機１が備える機能、例えば複数面取りとして２面取りモード機能等を設定する機能設定キーを備え、また、設定された機能、データなどを表示する液晶タッチパネルなどを備えている。操作部１００から設定された機能や、コピープリントスタート信号などは、メイン制御部６００に送信される。
【００１９】
ＡＤＦ２００は、原稿給紙部にセットされた原稿のサイズを検知するためのセンサ類を備え、検知した原稿サイズデータをメイン制御部６００に送信し、メイン制御部６００のコマンドに従い、原稿給紙部にセットされた原稿を所定のタイミングでコンタクトガラス上に給送し、露光後、所定のタイミングで露光済の原稿を排紙する。
【００２０】
スキャナ／ＩＰＵ３００は、コンタクトガラス上にセットされた原稿にランプを照射し、この反射光をミラー群、フィルタ、レンズを介しＲＧＢ３ラインＣＣＤに結像し、光電変換された信号を増幅した後、Ａ／Ｄ変換し、デジタルカラー画像データ（ＲＧＢ画像データ）を得るものである。前記ＲＧＢ画像データは、ＲＧＢメモリに格納される。このスキャナ／ＩＰＵ３００では、プリンタ部４００から順次、副走査方向画像同期信号（ＭＦＧＡＴＥ）、主走査方向画像同期信号（ＰＭＳＹＮＣ）が入力され、これら同期信号に同期して、ＲＧＢメモリからＲＧＢ画像データを出力し、この画像データに対して色変換、ガンマ補正などの画像処理が行われる。画像処理されたＲＧＢ画像データは、さらにＫＣＭＹ画像データに変換され、一色分の画像データとこれに同期した画像転送クロック（ＶＣＬＫ）、副走査方向画像同期信号（ＶＦＧＡＴＥ）、主走査方向画像同期信号（ＶＬＳＹＮＣ）が順次、プリンタ部４００に出力される。また、メイン制御部６００から２面取りの指定があれば、ＭＦＧＡＴＥ、ＰＭＳＹＮＣに同期してＲＧＢメモリから読み出されるＲＧＢ画像データを２回ずつ同色の画像データに変換し、ＶＣＬＫ、ＶＦＧＡＴＥ、ＶＬＳＹＮＣと共にプリンタ部４００に出力する。
【００２１】
なお、ここでは、トナーにより顕像化された画像を一度に２面担持できる中間転写体６を有するプリンタ部４００から前記中間転写体６に形成する画像の数だけ画像を出力することが可能なプリント画像出力部として、ＲＧＢメモリを備えたデジタルカラー複写機１のスキャナ／ＩＰＵ３００を一例として挙げているが、パソコンなどから入力される画像データをプリント画像に変換するプリンタコントローラ等であってもよい。また、前述の従来例では、画像読取部２１および画像処理部２２がこのスキャナ／ＩＰＵ３００に対応する。
【００２２】
プリンタ部４００は、メイン制御部６００からの制御信号に従い、感光体３、中間転写体６、帯電器４、現像器５、１次転写部６２、２次転写部６３、クリーニング部（不図示）、定着器１０、各種モータ、クラッチを駆動する。また、レーザビームをポリゴンミラーに照射し、この反射光を検出してＰＭＳＹＮＣ信号を生成し、中間転写体６のマーク６１を検出したらメイン制御部６００から指定されたアサート幅（例えば、転写紙サイズ）のＭＦＧＡＴＥを生成し、こられをスキャナ／ＩＰＵ３００に出力する。また、スキャナ／ＩＰＵ３００から前述のようにＶＣＬＫ、ＶＦＧＡＴＥ、ＶＬＳＹＮＣの各信号、およびＫＣＭＹ画像データを受け取り、ＶＦＧＡＴＥに同期した信号（ＢＦＧＡＴＥ）をメイン制御部６００に出力する。また、ＶＣＬＫ、ＶＦＧＡＴＥ、ＶＬＳＹＮＣ、ＫＣＭＹ画像データに従ってレーザビームを変調し、帯電状態にある感光体３に前記レーザビームを照射し、前記感光体３表面に静電潜像を形成する。これを現像器５内のトナーにより顕像化し、１次転写部６２を介して中間転写体６のマーク６１位置からトナー画像を形成する。
【００２３】
このようにして中間転写体６には所定のカラー画像分、例えばフルカラーであればＫＣＭＹ色の各色のトナー画像が１回ずつ４回形成され、さらに、これらの４回で形成された４色分のトナー画像が重ね合わされ、２次転写部６３を介して、バンク部（用紙積載部）７００から給送されてくる転写紙に転写される。転写紙に転写されたトナー画像は、定着器１０により溶融定着され、デジタルカラー複写機１外に排出される。一方、前記感光体３、中間転写体６に残留したトナーは、それぞれのクリーニング部により掻き取られ、クリーニングされる。メイン制御部６００から２面取りの指示がなされた場合、中間転写体６のマーク６１をマーク検出センサ７によって検出したらメイン制御部６００から指定されたアサート幅（例えば、転写紙サイズ）のＭＦＧＡＴＥを所定の間隔を開けて２個生成し、これらをスキャナ／ＩＰＵ３００に出力する。
【００２４】
なお、前述の従来例では、レーザ書込部１、センサマーク検出部７、濃度センサ８、画像形成制御部２６、位置関係記憶部２７および濃度検査部２８がこのプリンタ部４００に対応する。
【００２５】
メイン制御部６００は、例えば操作部１００から設定された機能に従って、ＡＤＦ２００、スキャナ／ＩＰＵ３００、プリンタ部４００の設定と制御を行う。
【００２６】
すなわち、メイン制御部６００では、操作部１００やプリンタ部４００から送られてくるコピープリントスタート信号、ＢＦＧＡＴＥ信号などにより、ＡＤＦ２００に原稿の給紙タイミングを送信したり、スキャナ／ＩＰＵ３００にスキャナースタート信号を送信したり、プリンタ部４００の帯電器４、現像器５、１次および２次転写部６２，６３、クリーニング部、定着器１０、および様々なモータ、クラッチなどの負荷を駆動し、バンク部７００からプリンタ部４００へ転写紙を給送し、転写紙にトナー像を定着して排紙する等、デジタルカラー複写機１全体の制御を行う。
【００２７】
なお、前述の従来例では、主制御部２５、セレクタ２３および入力制御部２４がこのメイン制御部６００に対応している。
【００２８】
バンク部７００は、各種サイズの転写紙をサイズ毎に複数枚収納している。センサ、スイッチなどにより、メイン制御部６００は、収納されている転写紙サイズ、転写紙の有り／無しを検知することができる。また、バンク部７００は、メイン制御部６００からの制御信号により、駆動されるモータ、クラッチなどにより、指定された転写紙を１枚ずつプリンタ部４００に所定のタイミングで給送する。なお、前述の従来例における給紙部９は、このようなバンク部とも称される転写紙積載部とバンク部７００から転写紙を転写位置まで搬送する搬送手段を含み、本実施形態では、特に説明しないが、バンク部７００から中間転写体６まで転写紙を搬送することは言うまでもない。
【００２９】
ＰＳＵ８００は、メインスイッチを投入することにより立ち上がり、デジタルカラー複写機１の各ユニットに直流電源を供給する。
【００３０】
図２は、このように構成されたデジタルカラー複写機を使用して２面取りで複写を行うときのタイミングチャートの一例である。この例は、コンタクトガラス上にＡ４横サイズのカラー原稿を置き、操作部１００から２面取りとリピート枚数４枚を設定し、コピースタートキーを押下した時、バンク部７００にはＡ４横サイズの転写紙が３枚しかない場合のタイミング図（負論理）である。
【００３１】
すなわち、２面取りモードにおいて、タイミングＴ１で操作部１００のコピースタートキーが押下されると、スキャナ／ＩＰＵ３００はメイン制御部６００の指示によりタイミングＴ２で原稿を読み取り、ＲＧＢ画像データをＲＧＢメモリに格納する。原稿の読み取りを開始したタイミングＴ２から所定時間後のタイミングＴ３で、プリンタ部４００は、メイン制御部６００の指示に従い、トナー画像形成準備を行う。このとき、ポリゴンモータからのレーザービームの反射光に同期して、ＰＭＳＹＮＣを出力し続ける（不図示）。また、トナー画像形成準備が開始されて、タイミングＴ４で中間転写体６のマーク６１を検出すると、２面取りの指定がなされているので、所定の間隔で、ＭＦＧＡＴＥをタイミングＴ５，Ｔ６で２度出力する。その後も、中間転写体６のマーク６１を検出すると、所定の間隔でＭＦＧＡＴＥを２度出力する。
【００３２】
スキャナ／ＩＰＵ３００は、ＰＭＳＹＮＣ、ＭＦＧＡＴＥに同期して、ＲＧＢメモリからＲＧＢ画像データを読み出し、２回ずつ同色のＫＣＭＹ画像データに変換する。また、これに同期したＶＣＬＫ（不図示）、ＶＬＳＹＮＣ（不図示）、およびＶＦＧＡＴＥを出力する（タイミングＴ７，Ｔ８）。
【００３３】
プリンタ部４００は、ＶＦＧＡＴＥ（タイミングＴ７，Ｔ８）を受けるとメイン制御部６００にＢＦＧＡＴＥを出力し（タイミングＴ９，Ｔ１０）、帯電された感光体３にトナー画像を形成し、１次転写部６２で前記トナー画像を中間転写体６に転写する。メイン制御部６００は、ＢＦＧＡＴＥ（タイミングＴ９）を受け取ると、バンク部７００に収納されているＡ４横の転写紙を１枚プリンタ部４００のレジスト位置まで給送する（タイミングＴ１１）。そして、２色目と３色目の後に４色目のＢＦＧＡＴＥを受けると（タイミングＴ１２）、レジスト位置（レジストローラ位置…不図示）で待機させていた１枚目の転写紙を２次転写部６３に給送する（タイミングＴ１３）と共に２枚目の転写紙をバンク部７００から給送し（タイミングＴ１４）、所定のタイミングで、２枚目の転写紙も２次転写部６３に給送し、２枚のトナー画像形成されたカラーコピー画像を得る。
【００３４】
さらに、２枚のカラーコピーを得た後、タイミングＴ１５でＭＦＧＡＴＥを出力し、タイミングＴ１６でＢＦＧＡＴＥを受け、タイミングＴ１７で３枚目の転写紙をレジスト位置まで給送すると、タイミングＴ１８でペーパーエンドを検知し、タイミングＴ１９でＫ画像出力後の１面取りモードに変更して画像形成を行う。すなわち、メイン制御部６００は、プリンタ部４００に、ＭＦＧＡＴＥの出力を中間転写体６のマーク検知１回に付き１回、残り現像回数３回に変更し、スキャナ／ＩＰＵ３００にＭＦＧＡＴＥ毎に出力するＫＣＭＹ画像データの色をＭＦＧＡＴＥ毎に変更する指示などを行う。３枚目の２色目に対応する中間転写体６のマーク６１の検出以降は、Ｋ画像現像後の通常の１ｔｏ１カラーコピー形成動作（モード）となり、３枚目のカラーコピー画像を得る。
【００３５】
このように、ペーパーエンド時、２面取りモードから、２面目の画像を形成することなく、Ｋ画像出力後の１面しか画像を形成しないようにすることにより、無駄なトナー画像形成動作および、無駄なトナー消費を抑えることができる。
【００３６】
なお、バンク部７００の使用中の転写紙収納段において給紙する転写紙がなくなった場合、他の転写紙収納段に同一サイズの転写紙が存在するときには、前記他の転写紙収納段から転写紙を供給するようにすれば、２面目以降の画像形成も前記転写紙収納段を切り換えるだけで、継続して行える。
【００３７】
＜第２の実施形態＞
このように最後の１枚については、２面目の画像を形成しないようにすることに代えて、ＫＣＭＹ画像データをマスクし、言い換えれば、白画像データを出力し、無駄な画像を形成しないようにすることもできる。この実施形態を図３および図４に示す。
【００３８】
図３はこの第２の実施形態に対応するデジタルカラー複写機の概略構成を示すブロック図、図４はこの実施形態におけるタイミングを示すタイミングチャートである。
【００３９】
この第２の実施形態に係るデジタルカラー複写機Ｂは、図３に示すように前述の第１の実施形態に係るデジタルカラー複写機Ａにスキャナ／ＩＰＵ３００からのＲＧＢ画像データをマスクしてプリンタ部４００に出力するマスク部９００を加えたものであり、その他の構成は第１の実施形態と同様なので、ここでは、マスク部９００の説明のみ行う。
【００４０】
マスク部９００は、スキャナ／ＩＰＵ３００からＶＣＬＫ、ＶＬＳＹＮＣ、ＶＦＧＡＴＥ、ＫＣＭＹ画像データを受け取り、同期を取り直してＲＣＬＫ、ＲＬＳＹＮＣ、ＲＦＧＡＴＥ、ＫＣＭＹ画像データとしてプリンタ部４００に出力する。この際、メイン制御部６００からのマスク信号に従い、ＫＣＭＹ画像データをマスク（白画像データに）する機能を有する。
【００４１】
以下、この第２の実施形態において２面取りで複写を行うときの動作について説明する。図３は第１の実施形態と同様にコンタクトガラス上にＡ４横サイズのカラー原稿を置き、操作部１００から２面取り（２面取りモードの設定）とリピート枚数２枚を設定し、コピースタートキーを押下した時、バンク部７００のＡ４横サイズの転写紙が１枚しかない場合のタイミングチャート（負論理）である。
【００４２】
この実施形態では、タイミングＳ１で操作部１００のコピースタートキーが押下されると、タイミングＳ２で、スキャナ／ＩＰＵ３００は、メイン制御部６００の指示により原稿を読み取り、ＲＧＢ画像データをＲＧＢメモリに格納する。
【００４３】
タイミングＳ２から所定時間後のタイミングＳ３で、プリンタ部４００は、メイン制御部６００の指示によってトナー画像形成準備を行う。このときポリゴンモータからのレーザービームの反射光に同期して、ＰＭＳＹＮＣを出力し続ける（不図示）、また、タイミングＳ４で中間転写体６のマーク６１を検出すると、２面取りの指定がなされているので、所定の間隔で、ＭＦＧＡＴＥを２度（タイミングＳ５，Ｓ６）出力する。その後も、中間転写体６のマーク６１を検出すると、所定の間隔でＭＦＧＡＴＥを２度出力する。
【００４４】
スキャナ／ＩＰＵ３００は、ＰＭＳＹＮＣ、ＭＦＧＡＴＥに同期して、ＲＧＢメモリからＲＧＢ画像データを読み出し、２回ずつ同色のＫＣＭＹ画像データに変換する。また、これに同期したＶＣＬＫ（不図示）、ＶＬＳＹＮＣ（不図示）、ＶＦＧＡＴＥをマスク部９００に出力する（タイミングＳ７，Ｓ８）。プリンタ部４００は、マスク部９００からＲＦＧＡＴＥを受けるとメイン制御部６００にＢＦＧＡＴＥを出力し（タイミングＳ９，Ｓ１０）、帯電された感光体３にトナー画像を形成し、これを中間転写体６に転写する。
【００４５】
メイン制御部６００はＢＦＧＡＴＥを受け取ると、バンク部７００に収納されているＡ４横の転写紙を１枚プリンタ部４００のレジスト位置まで給送する（タイミングＳ１１）。この給送によりタイミングＳ１２でペーパーエンドを検知すると、メイン制御部６００はタイミングＳ１３でマスク信号を出力し、マスク部９００からタイミングＳ１４でＫＣＭＹ画像データをマスクする。すなわち、タイミングＳ１４で感光体３上に形成される静電潜像を白画像潜像とする。このため、これを現像してもトナーは感光体３に付着しない。その後も、メイン制御部６００は、マスク部９００に２面目のＫＣＭＹ画像データをマスクするためのマスク信号を出力する。そして、４色目のＢＦＧＡＴＥを受けると（タイミングＳ１５）、１枚目の転写紙を２次転写部６３に給送（タイミングＳ１６）し、トナー画像が形成された１枚のカラーコピー画像を得る。
【００４６】
以上のように、この第２の実施形態では、ペーパーエンド時にメイン制御部６００からの指示によって所定のタイミングでマスク信号を出力するマスク部９００を設け、ペーパーエンド後には白画像を出力するようにしたので、用紙がないときに転写できない画像が形成されることはなく、これにより無駄なトナー消費を抑えることができる。
【００４７】
＜第３の実施形態＞
第３の実施形態は、図３に示すデジタルカラー複写機２のマスク部をＶＦＧＡＴＥ立ち上がりエッジ検出部９０１とトグル回路９０２とＫＣＭＹ画像データマスク部９０３と同期制御回路９０４から構成してマスク部９１０としたものである。その他の構成は図３に示した第２の実施形態と同様なので、図５に示すマスク部９１０についてのみ説明する。
【００４８】
図５に示すように、マスク部９１０は、スキャナ／ＩＰＵ３００からＶＣＬＫ、ＶＬＳＹＮＣ、ＶＦＧＡＴＥ、ＫＣＭＹ画像データを受け取り、同期を取り直して、ＲＣＬＫ、ＲＬＳＹＮＣ、ＲＦＧＡＴＥ、ＫＣＭＹ画像データとしてプリンタ部４００に出力する。この際、メイン制御部６００からのマスクイネーブル（マスクＥＮ）信号に従い、トグル回路９０２をイネーブルにして、ＶＦＧＡＴＥ立ち上がりエッジ検出部９０１からの信号により、トグル信号(マスク信号)を生成し、このトグル信号によりＫＣＭＹ画像データマスク部９０３でＫＣＭＹ画像データをマスク（白画像データに）する。このＫＣＭＹ画像データは同期制御回路９０４でＶＣＬＫ、ＶＬＳＹＮＣ、ＶＦＧＡＴＥと同期を取り直してプリンタ部４００に出力される。
【００４９】
以下、この第３の実施形態において２面取りで複写を行うときの動作について説明する。図６は第１の実施形態と同様にコンタクトガラス上にＡ４横サイズのカラー原稿を置き、操作部１００から２面取り（２面取りモードの設定）とリピート枚数２枚を設定し、コピースタートキーを押下した時、バンク部７００のＡ４横サイズの転写紙が１枚しかない場合のタイミングチャート（負論理）である。
【００５０】
この実施形態では、タイミングＵ１で操作部１００のコピースタートキーが押下されると、タイミングＵ２で、スキャナ／ＩＰＵ３００は、メイン制御部６００の指示によって原稿を読み取り、ＲＧＢ画像データをＲＧＢメモリに格納する。タイミングＵ２から所定時間後のタイミングＵ３で、プリンタ部４００は、メイン制御部６００の指示に従って、トナー画像形成準備を行う。この時、ポリゴンモータからのレーザービームの反射光に同期して、ＰＭＳＹＮＣを出力し続ける（不図示）、また、タイミングＵ４で中間転写体６のマーク６１を検出すると、２面取りの指定がなされているので、所定の間隔で、ＭＦＧＡＴＥを２度（タイミングＵ５，Ｕ６）出力する。その後も、中間転写体６のマーク６１を検出すると、所定の間隔でＭＦＧＡＴＥを２度出力する。
【００５１】
スキャナ／ＩＰＵ３００は、ＰＭＳＹＮＣ、ＭＦＧＡＴＥに同期して、ＲＧＢメモリからＲＧＢ画像データを読み出し、２回ずつ同色のＫＣＭＹ画像データに変換し、これに同期したＶＣＬＫ（不図示）、ＶＬＳＹＮＣ（不図示）、ＶＦＧＡＴＥをマスク部９１０に出力する（タイミングＵ７、Ｕ８）。プリンタ部４００は、マスク部９１０からＲＦＧＡＴＥを受けるとメイン制御部６００にＢＦＧＡＴＥを出力し（タイミングＵ９，Ｕ１０）、帯電された感光体３にトナー画像を形成し、これを中間転写体６に転写する。
【００５２】
メイン制御部６００は、ＢＦＧＡＴＥを受け取ると、バンク部７００に収納されているＡ４横の転写紙を１枚プリンタ部４００のレジスト位置まで給送する（タイミングＵ１１）。この給送によりタイミングＵ１２でペーパーエンドを検知すると、タイミングＵ１３でマスク部９１０にマスクＥＮ信号を出力する。そして、タイミングＵ１４のＶＦＧＡＴＥ立ち上がりエッジ検出信号により、タイミングＵ１５でトグル信号が出力され、タイミングＵ１６でＫＣＭＹ画像データがマスクされる。
【００５３】
このようにマスクＥＮ信号により、マスク部９１０は、ＫＣＭＹ画像データをマスクするためのマスク信号(トグル信号)をＶＦＧＡＴＥの奇数個目に生成し。
【００５４】
ＶＦＧＡＴＥが奇数個目のＫＣＭＹ画像データを白画像データとして出力する。
【００５５】
すなわち、タイミングＵ１６で感光体３上に形成される静電潜像は白画像潜像であるため、これを現像してもトナーは付着しない。その後も、マスク部９１０で２面目のＫＣＭＹ画像データはマスクされる。メイン制御部６００は、４色目のＢＦＧＡＴＥを受けると（タイミングＵ１７）、１枚目の転写紙を２次転写部６３に給送（タイミングＵ１８）し、トナー画像が形成された１枚のカラーコピー画像を得る。
【００５６】
このように、第３の実施形態によれば、マスク部９１０にＶＦＧＡＴＥ立ち上がりエッジ検出部９０１、トグル回路９０２を設け、ペーパーエンド時、マスクＥＮ信号を出力するようにしたので、無駄なトナー消費を抑えることができる。
【００５７】
＜第４の実施形態＞
本発明の第４の実施形態に係るデジタルカラー複写機Ｃの一例を図７に示す。
【００５８】
この実施形態は第２の実施形態におけるマスク部９００をメモリ制御部９５０に置き換えたものと等価であり、このメモリ制御部９５０に置き換えたことに関連する構成の他は前述の第１および第２の実施形態の各構成と同等に構成されているので、重複する説明は省略する。
【００５９】
プリンタ部４００は、メイン制御部６００からの制御信号に従い、感光体３、中間転写体６、帯電器４、現像器５、１次転写部６２、２次転写部６３、クリーニング部（不図示）、定着器１０、各種モータ、クラッチを駆動する。また、レーザビームをポリゴンモータに照射し、この反射光を検出して主走査方向画像同期信号（ＰＭＳＹＮＣ信号）を生成し、２面取りの指示がない場合は、中間転写体６のマーク６１を検出したらメイン制御部６００から指定されたアサート幅（例えば、転写紙サイズ）のＭＦＧＡＴＥを生成し、ＭＦＧＡＴＥ１，ＰＭＳＹＮＣをスキャナ／ＩＰＵ３００に出力する。
【００６０】
メモリ制御部９５０のメモリ９５３から読み出されたＫＣＭＹ画像データとこれに同期したＲＣＬＫ、ＲＦＧＡＴＥ、ＲＬＳＹＮＣを受け取り、ＲＦＧＡＴＥに同期した信号（ＢＦＧＡＴＥ）をメイン制御部６００に出力する。また、ＫＣＭＹ画像データに従ってレーザビームを変調し、駆動、帯電されている感光体３に該レーザビームによる静電潜像を形成する。これを現像器５内のトナーにより顕像化し、１次転写部６２を介して中間転写体６のマーク６１位置からトナー画像を形成する。これを例えば４回、４色分のトナー画像を重ね合わせ、２次転写部６３を介して、バンク部７００から給送されてくる転写紙に転写し、定着器１０により溶融定着し、デジタルカラー複写機Ｃ外に前記転写紙を排出する。一方、前記感光体３、中間転写体６に残留したトナーは、それぞれのクリーニング部により掻き取られる。また、メイン制御部６００から２面取りの指示がなされた場合、中間転写体６のマーク６１を検出したらメイン制御部６００から指定されたアサート幅（例えば、転写紙サイズ）のＭＦＧＡＴＥを所定の間隔を開けて２個生成し、１個目（ＭＦＧＡＴＥ１）をスキャナ／ＩＰＵ３００に、２個目（ＭＦＧＡＴＥ２）をメモリ制御部９００に送信する。すなわち、１個目（１面目）はリアルタイムで画像形成を行い、２個目（２面目）はメモリ制御部９５０のメモリ９５３（図８）に格納し、２個目のＭＦＧＡＴＥ２の入力に基づいて画像データを出力する。
【００６１】
メイン制御部６００は、操作部１００等から設定された機能に従って、ＡＤＦ２００、スキャナ／ＩＰＵ３００、プリンタ部４００、バンク部７００、メモリ制御部９５０の設定、制御を行う。操作部１００、プリンタ部４００から送られてくるコピープリントスタート信号、ＢＦＧＡＴＥ信号などにより、ＡＤＦ２００に原稿の給紙タイミングを送信したり、スキャナ／ＩＰＵ３００にスキャナスタート信号を送信したり、メモリ制御部９５０にメモリライト／メモリリードの設定をしたり、プリンタ部４００の帯電器４、現像器５、１次および２次転写部６２，６３  クリーニング部、定着器、様々なモータ、クラッチなどの負荷を駆動し、バンク部７００からプリンタ部４００へ転写紙を給送し、転写紙にトナー像を定着して排紙する等、デジタルカラー複写機Ｃ全体の制御を行う。
【００６２】
その他、操作部１００、ＡＤＦ２００、スキャナ／ＩＰＵ３００、バンク部７００、ＰＳＵ８００の各部は前述の第１および第２の実施形態と同等に構成されている。
【００６３】
図８はメモリ制御部９５０、メイン制御部６００、スキャナ／ＩＰＵ３００及びプリンタ部４００の詳細を示すブロック図である。メモリ制御部９５０は、メインＩ／Ｆ９５１と、ライトバッファ９５２と、メモリ９５３と、同期信号生成回路９５５と、メモリコントローラ９５７と、セレクタ９５６，９５８とからなる。メインＩ／Ｆ９５１はメイン制御部６００から設定を行うためのインタフェースとして機能し、ライトバッファ９０２はスキャナ／ＩＰＵ３００から送信されてくるＶＦＧＡＴＥ、ＶＬＳＹＮＣ、ＫＣＭＹ画像データからメモリ９５３に格納する有効領域のＫＣＭＹ画像データを切り出す機能を有する。セレクタ９５８はライトバッファ９５２に格納するデータをスキャナ／ＩＰＵ３００から送信されてくるＫＣＭＹ画像データか白固定データにするか切り替えるためのものである。メモリ９５３はライトバッファ９５２からのＫＣＭＹ画像データを格納し、リードバッファ９５４はメモリ９５３から読み出されるＫＣＭＹ画像データを一時保管する。同期信号生成回路９５５はメインＩ／Ｆ９５１の指示により、リードバッファ９５４から出力されるＫＣＭＹ画像データと同期をとるための副走査方向画像同期信号（ＦＧＡＴＥ）、主走査方向画像同期信号（ＬＳＹＮＣ）を生成する。メモリコントローラ９５７はリードバッファ９５４、同期信号生成回路９５５から出力される信号とスキャナ／ＩＰＵ３００から入力される信号を切り替えて、プリンタ部４００に出力するセレクタ９５６とメモリ９５３にリード／ライト制御信号、アドレスなどを出力する機能を有する。
【００６４】
ライトバッファ９５２はメモリ９５３に書き込むため、例えばスキャナ／ＩＰＵ３００から送信されるＫＣＭＹ画像データ(４ｂｉｔ／画素)を４ライン分のＦＩＦＯを用いて（主走査方向４画素×副走査方向４画素）の６４ｂｉｔデータに変換し、リードバッファ９５４はメモリ９５３から読み出された（主走査方向４画素×副走査方向４画素）の６４ｂｉｔデータを４ライン分のＦＩＦＯを用いて、１画素、４ｂｉｔの画像データに変換する。
【００６５】
メモリコントローラ９５７は、メインＩ／Ｆ９５１からの設定により、メモリ９５３に対し、ＶＦＧＡＴＥ、ＶＬＳＹＮＣに同期したライトアクセス信号または、ＭＦＧＡＴＥ、ＰＭＳＹＮＣに同期したリードアクセス信号を出力する。セレクタ９５６は、２面取りモードが設定されていない時は、メインＩ／Ｆ９５１の設定により、常にスキャナ／ＩＰＵ３００から出力されるＶＦＧＡＴＥ、ＶＬＳＹＮＣ、ＫＣＭＹ画像データを選択し、プリンタ部４００にＲＦＧＡＴＥ、ＲＬＳＹＮＣ、ＫＣＭＹ画像データとして出力する。また、２面取りモード時は、メインＩ/Ｆ９５１の設定により、１面目はスキャナ／ＩＰＵ３００から出力されるＶＦＧＡＴＥ、ＶＬＳＹＮＣ、ＫＣＭＹ画像データを選択し、２面目はメモリ９５３から読み出されたＫＣＭＹ画像データ、ＦＧＡＴＥ、ＬＳＹＮＣを選択してプリンタ部４００にＲＦＧＡＴＥ、ＲＬＳＹＮＣ、ＫＣＭＹ画像データとして出力する。また、セレクタ９５８は、メインＩ／Ｆ９５１の設定により、スキャナ／ＩＰＵ３００からのＫＣＭＹ画像データ、または、白固定データの切り替えを行う。
【００６６】
以下、この第４の実施形態において２面取りで複写を行うときの動作について説明する。図９は第１の実施形態と同様にコンタクトガラス上にＡ４横サイズのカラー原稿を置き、操作部１００から２面取り（２面取りモードの設定）とリピート枚数２枚を設定し、コピースタートキーを押下した時、バンク部７００のＡ４横サイズの転写紙が１枚しかない場合のタイミングチャート（負論理）である。
【００６７】
この実施形態では、２面取りの指示がなされているので、メモリコントローラ９５７はメインＩ／Ｆ９５１の設定によりメモリライト／メモリリードが設定される。この設定下において、タイミングＶ１で操作部１００のコピースタートキーが押下されると、タイミングＶ２でプリンタ部４００はメイン制御部６００の指示に従ってトナー画像形成準備に入り、ポリゴンモータからのレーザービームの反射光に同期して、ＰＭＳＹＮＣを出力し続ける（不図示）。また、タイミングＶ３で中間転写体６のマーク６１を検出すると、２面取りの指定がなされているので、所定の間隔で、ＭＦＧＡＴＥ１、ＭＦＧＡＴＥ２をタイミングＶ４，Ｖ５として示すように出力する。その後も、中間転写体６のマーク６１を検出すると、所定の間隔でＭＦＧＡＴＥを２度（計８個）出力し、スキャナ／ＩＰＵ３００、メモリコントローラ９５７にそれぞれ所定のタイミングでＭＦＧＡＴＥ、ＰＭＳＹＮＣを出力する。
【００６８】
スキャナ／ＩＰＵ３００は、プリンタ部４００から送信されるＭＦＧＡＴＥ１毎に原稿を読み取り、ＫＣＭＹ画像データ、ＶＣＬＫ（不図示）、ＶＬＳＹＮＣ（不図示）、ＶＦＧＡＴＥをメモリコントローラ９５７に出力する（タイミングＶ６）。メモリコントローラ９５７はセレクタ９５８をスキャナ／ＩＰＵ３００側（“Ｈ”）にし、スキャナ／ＩＰＵ３００から送られてくるＫＣＭＹ画像データをＶＦＧＡＴＥ、ＶＬＳＹＮＣ同期でメモリ９５３にライトし、かつ、メインＩ／Ｆ９０１、ＶＦＧＡＴＥ信号によりセレクタ９５６をスキャナ／ＩＰＵ３００側（“Ｈ”）に切り替え、ＲＦＧＡＴＥ、ＲＬＳＹＮＣ、ＫＣＭＹ画像データとして２面取りの１面目のデータをプリンタ部４００に出力する（タイミングＶ７）。また、メモリコントローラ９５７は、プリンタ部４００からのＭＦＧＡＴＥ２、ＰＭＳＹＮＣ信号により、メモリ９５３にライトされているデータをリードし、セレクタ９５６をメモリ側（“Ｌ”）にし（タイミングＶ８）、ＲＦＧＡＴＥ、ＲＬＳＹＮＣ、ＫＣＭＹ画像データの２面目をプリンタ部４００に出力する（タイミングＶ９）。プリンタ部４００は、ＲＦＧＡＴＥを受けるとメイン制御部６００にＢＦＧＡＴＥを出力し（タイミングＶ１０，Ｖ１１）、帯電された感光体３にトナー画像を形成し、これを中間転写体６に転写する。
【００６９】
メイン制御部６００は、ＢＦＧＡＴＥを受け取ると、バンク部７００に収納されているＡ４横の転写紙を１枚プリンタ部４００のレジスト位置まで給送する（タイミングＶ１２）。そして、タイミングＶ１３でペーパーエンドを検知すると、タイミングＶ１４でセレクタ９５８を白固定側（“Ｌ”）に切り替えることにより、これ以降メモリ９５３にライトされるデータは、白画像データとなる。すなわち、プリンタ部４００に入力されるＫ画像データの２面目後端から２面目のＣＭＹ画像データが白データとなる。このようにして感光体３上に形成される静電潜像が白画像潜像となるため、これを現像してもトナーは付着しない。次いで、タイミングＶ１５で４色目のＹ画像データに同期したＢＦＧＡＴＥをメイン制御部６００が受け取ると、タイミングＶ１６でレジストローラを駆動し、転写紙を２次転写部６３に給送し、１枚のトナー画像形成されたカラーコピー画像を得る。
【００７０】
このように本実施形態によれば、メモリ９５３にライトするデータを白固定にするセレクタ９５８を設け、２面取りモードの２面目ペーパーエンド時、メモリ９５３にライトするデータを白固定に切り替えることにより、転写紙に転写されない３色分のトナー消費を抑えることができる。
【００７１】
＜第５の実施形態＞
図１０は第５の実施形態に係るメモリ制御部９５０ａ、メイン制御部６００、スキャナ／ＩＰＵ３００及びプリンタ部４００の構成を示すブロック図である。
【００７２】
この第５の実施形態は、第４の実施形態におけるメモリ制御部９５０を図１０の構成に置き換えたものである。第４の実施形態におけるメモリ制御部９５０と本実施形態におけるメモリ制御部９５０ａの相違点は、セレクタ９５８を第４の実施形態においてはメモリライト側に配置しているのに対し、本実施形態においてはメモリリード側に配置した点にある。その他の各部は第４の実施形態と同一なので、説明は省略する。
【００７３】
以下、この第５の実施形態において２面取りで複写を行うときの動作について説明する。図１１は第１の実施形態と同様にコンタクトガラス上にＡ４横サイズのカラー原稿を置き、操作部１００から２面取り（２面取りモードの設定）とリピート枚数２枚を設定し、コピースタートキーを押下した時、バンク部７００のＡ４横サイズの転写紙が１枚しかない場合のタイミングチャート（負論理）である。
【００７４】
この実施形態では、２面取りの指示が成されているので、メモリコントローラ９５７はメインＩ／Ｆ９０１の設定によりメモリライト／メモリリードが設定される。この設定下において、タイミングＷ１で操作部１００のコピースタートキーが押下されると、タイミングＷ２で、プリンタ部４００はメイン制御部６００の指示に従い、トナー画像形成準備に入り、ポリゴンモータからのレーザービームの反射光に同期して、ＰＭＳＹＮＣを出力し続ける（不図示）。また、タイミングＷ３で中間転写体６のマーク６１を検出すると、２面取りの指定がなされているので、所定の間隔で、ＭＦＧＡＴＥ１、ＭＦＧＡＴＥ２をタイミングＷ４，Ｗ５として示すように出力する。その後も、中間転写体６のマーク６１を検出すると、所定の間隔でＭＦＧＡＴＥを２度（計８個）出力し、スキャナ／ＩＰＵ３００、メモリコントローラ９５７にそれぞれ所定のタイミングでＭＦＧＡＴＥ、ＰＭＳＹＮＣを出力する。スキャナ／ＩＰＵ３００は、プリンタ部４００から送信されるＭＦＧＡＴＥ１毎に原稿を読み取り、ＫＣＭＹ画像データ、ＶＣＬＫ（不図示）、ＶＬＳＹＮＣ（不図示）、ＶＦＧＡＴＥをメモリコントローラ９５７に出力する（タイミングＷ６）。
【００７５】
メモリコントローラ９５７は、スキャナ／ＩＰＵ３００から送られてくるＫＣＭＹ画像データをＶＦＧＡＴＥ、ＶＬＳＹＮＣ同期でメモリ９５３にライトし、かつメインＩ／Ｆ９５１、ＶＦＧＡＴＥ信号によりセレクタ９５６をスキャナ／ＩＰＵ３００側（”Ｈ”）に切り替え、ＲＦＧＡＴＥ，ＲＬＳＹＮＣ、ＫＣＭＹ画像データとして２面取りの１面目のデータをプリンタ部４００に出力する（タイミングＷ７）。また、メモリコントローラ９５７は、セレクタ９５８をメモリ９５３側（“Ｈ”）にし、プリンタ部４００からのＭＦＧＡＴＥ２、ＰＭＳＹＮＣ信号により、メモリ９５３にライトされているデータをリードし、セレクタ９５６をメモリ側（“Ｌ”）にし（タイミングＷ８）、ＲＦＧＡＴＥ、ＲＬＳＹＮＣ、ＫＣＭＹ画像データの２面目をプリンタ部４００に出力する（タイミングＷ９）。プリンタ部４００は、ＲＦＧＡＴＥを受けるとメイン制御部６００にＢＦＧＡＴＥを出力し（タイミングＷ１０，Ｗ１１）、帯電された感光体にトナー画像を形成し、これを中間転写体に転写する。
【００７６】
メイン制御部６００は、ＢＦＧＡＴＥを受け取ると、バンク部７００に収納されているＡ４横の転写紙を１枚プリンタ部４００のレジスト位置まで給送する（タイミングＷ１２）。そして、タイミングＷ１３でペーパーエンドを検知すると、タイミングＷ１４でセレクタ９５８を白固定側（“Ｌ”）に切り替えることにより、これ以降リードバッファ９５４にライトされるデータは、白画像データとなる。すなわち、プリンタ部４００に入力される２面目のＫＣＭＹ画像データが白データとなる。このようにして感光体３上に形成される静電潜像が白画像潜像となるため、これを現像してもトナーは付着しない。次いで、タイミングＷ１５で４色目のＹ画像データに同期したＢＦＧＡＴＥをメイン制御部６００が受け取ると、タイミングＷ１６でレジストローラを駆動し、転写紙を２次転写部６３に給送し、１枚のトナー画像形成されたカラーコピー画像を得る。
【００７７】
このように本実施形態によれば、リードバッファ９５４にライトするデータを白固定にするセレクタ９５８を設け、２面取りモードの２面目ペーパーエンド時、リードバッファ９５４にライトするデータを白固定に切り替えることにより、転写紙に転写されない４色分のトナー消費を抑えることができる。
【００７８】
＜第６の実施形態＞
図１２は第６の実施形態に係るメモリ制御部９５０ｂ、メイン制御部６００、スキャナ／ＩＰＵ３００及びプリンタ部４００の構成を示すブロック図である。
【００７９】
この第６の実施形態は、第５の実施形態におけるメモリ制御部９５０ａを図１２の構成に置き換えたものである。第４の実施形態におけるメモリ制御部９５０と本実施形態におけるメモリ制御部９５０ｂの違いは、セレクタ９５８を省略したことにあり、その他の構成は第５の実施形態と同一なので、その他各部の説明は省略する。
【００８０】
以下、この第６の実施形態において２面取りで複写を行うときの動作について説明する。図１３は第１の実施形態と同様にコンタクトガラス上にＡ４横サイズのカラー原稿を置き、操作部１００から２面取り（２面取りモードの設定）とリピート枚数２枚を設定し、コピースタートキーを押下した時、バンク部７００のＡ４横サイズの転写紙が１枚しかない場合のタイミングチャート（負論理）である。
【００８１】
この実施形態では、２面取りの指示が成されているので、メモリコントローラ９５７はメインＩ／Ｆ９５１の設定によりメモリライト／メモリリードが設定される。この設定下において、タイミングＸ１で操作部１００のコピースタートキーが押下されると、タイミングＸ２でプリンタ部４００はメイン制御部６００の指示に従い、トナー画像形成準備に入り、ポリゴンモータからのレーザービームの反射光に同期して、ＰＭＳＹＮＣを出力し続ける（不図示）。また、タイミングＸ３で中間転写体６のマーク６１を検出すると、２面取りの指定がなされているので、所定の間隔で、ＭＦＧＡＴＥ１、ＭＦＧＡＴＥ２を（タイミングＸ４，Ｘ５）出力する。その後も、中間転写体６のマーク６１を検出すると、所定の間隔でＭＦＧＡＴＥを２度（計８個）出力し、スキャナ／ＩＰＵ３００、メモリコントローラ９５７にそれぞれ所定のタイミングでＭＦＧＡＴＥ、ＰＭＳＹＮＣを出力する。スキャナ／ＩＰＵ３００は、プリンタ部４００から送信されるＭＦＧＡＴＥ１毎に原稿を読み取り、ＫＣＭＹ画像データ、ＶＣＬＫ（不図示）、ＶＬＳＹＮＣ（不図示）、ＶＦＧＡＴＥをメモリコントローラ９５７に出力する（タイミングＸ６）。
【００８２】
メモリコントローラ９５７は、スキャナ／ＩＰＵ３００から送られてくるＫＣＭＹ画像データをＶＦＧＡＴＥ、ＶＬＳＹＮＣ同期でメモリ９５３にライトし、かつメインＩ／Ｆ９５１、ＶＦＧＡＴＥ信号によりセレクタ９５６をスキャナ／ＩＰＵ３００側（“Ｈ”）に切り替え、ＲＦＧＡＴＥ、ＲＬＳＹＮＣ、ＫＣＭＹ画像データとして２面取りの１面目のデータをプリンタ部４００に出力する（タイミングＸ７）。プリンタ部４００は、ＲＦＧＡＴＥを受けるとメイン制御部６００にＢＦＧＡＴＥを出力し（タイミングＸ１０，Ｘ１１）、帯電された感光体３にトナー画像を形成し、これを中間転写体６に転写する。
【００８３】
メイン制御部６００は、ＢＦＧＡＴＥを受け取ると、バンク部７００に収納されているＡ４横の転写紙を１枚プリンタ部４００のレジスト位置まで給送する（タイミングＸ１２）。そして、タイミングＸ１３でペーパーエンドを検知すると、タイミングＸ１４でメインＩ／Ｆ９５１の設定をアイドルモード（メモリコントローラ９５７からメモリ９５３にリード／ライト用の制御信号を出力させないモード）に切り替えることにより、これ以降、メモリ９５３にはＫＣＭＹ画像データはリード／ライトされない。また、メモリ９５３のデータ出力はＨｉ−ｚとなる。ここで、メモリコントローラ９５７は、プリンタ部４００からのＭＦＧＡＴＥ２、ＰＭＳＹＮＣ信号を受け取ると、メモリ９５３に対するリード動作は行わないので、プルアップされたデータ、すなわち白画像データがリードバッファ９５４にライトされる。そして、タイミングＸ８でセレクタ９５６をメモリ側（“Ｌ”）に設定し、ＲＦＧＡＴＥ、ＲＬＳＹＮＣと共に２面目の画像データをプリンタ部４００に出力する（タイミングＸ９）。すなわち、プリンタ部４００に入力される２面目のＫＣＭＹ画像データが、白データとなり、感光体３上に形成される静電潜像は、白画像潜像であるためこれを現像してもトナーは付着しない。タイミングＸ１５で４色目のＹ画像データに同期したＢＦＧＡＴＥをメイン制御部６００が受け取ると、タイミングＸ１６でレジストローラを駆動し、転写紙を２次転写部６３に給送し、トナー画像が形成された１枚のカラーコピー画像を得る。
【００８４】
このように本実施形態によれば、２面取りモードの２面目ペーパーエンド時、メモリ９５３に対するリード／ライトアクセスを行わないようにすることにより、メモリ９５３の無駄な消費電力を抑えると共に、転写紙に転写されない４色分のトナー消費を抑えることができる。
【図面の簡単な説明】
【００８５】
【図１】本発明の第１の実施形態に係るデジタルカラー複写機の概略構成を示すブロック図である。
【図２】本発明の第１の実施形態に係るデジタルカラー複写機の動作タイミングを示すタイミングチャートである。
【図３】本発明の第２の実施形態に係るデジタルカラー複写機の概略構成を示すブロック図である。
【図４】本発明の第２の実施形態に係るデジタルカラー複写機の動作タイミングを示すタイミングチャートである。
【図５】本発明の第３の実施形態に係るデジタルカラー複写機の要部の構成を示すブロック図である。
【図６】本発明の第３の実施形態に係るデジタルカラー複写機の動作タイミングを示すタイミングチャートである。
【図７】本発明の第４の実施形態に係るデジタルカラー複写機の概略構成を示すブロック図である。
【図８】本発明の第４の実施形態に係るデジタルカラー複写機のメモリ制御部の構成を主に示すブロック図である。
【図９】本発明の第４の実施形態に係るデジタルカラー複写機の動作タイミングを示すタイミングチャートである。
【図１０】本発明の第５の実施形態に係るデジタルカラー複写機のメモリ制御部の構成を主に示すブロック図である。
【図１１】本発明の第５の実施形態に係るデジタルカラー複写機の動作タイミングを示すタイミングチャートである。
【図１２】本発明の第６の実施形態に係るデジタルカラー複写機のメモリ制御部の構成を主に示すブロック図である。
【図１３】本発明の第６の実施形態に係るデジタルカラー複写機の動作タイミングを示すタイミングチャートである。
【図１４】従来から実施されている複数面取りのデジタルカラー複写機の概略構成を示す図である。
【図１５】従来から実施されている複数面取りのデジタルカラー複写機の概略構成を示すブロック図である。
【図１６】従来から実施されている複数面取りのデジタルカラー複写機の中間転写体と中間転写体に設けられたマークとを示す要部斜視図である。
【符号の説明】
【００８６】
１  レーザ書込部
３  感光体
５  現像器
６  中間転写ベルト（体）
１０  定着部
６１  マーク
１００  操作部
２００  ＡＤＦ
３００  スキャナ／ＩＰＵ
４００  プリンタ部
６００  メイン制御部
７００  バンク部
８００  ＰＳＵ
９００  マスク部
９０１  立ち上がりエッジ検出部
９０２  トグル回路
９０３  ＫＣＭＹ画像データマスク部
９０４  同期制御回路
９５０，９５０ａ，９５０ｂ  メモリ制御部
９５１  メインＩ／Ｆ
９５２  ライトバッファ
９５３  メモリ
９５４  リードバッファ
９５５  同期信号生成回路
９５６  セレクタ
９５７  メモリコントローラ
９５８  セレクタ
Ａ，Ｂ，Ｃ  デジタル複写機
【図１】
2006079108.tif 000003
【図２】
2006079108.tif 000004
【図３】
2006079108.tif 000005
【図４】
2006079108.tif 000006
【図５】
2006079108.tif 000007
【図６】
2006079108.tif 000008
【図７】
2006079108.tif 000009
【図８】
2006079108.tif 000010
【図９】
2006079108.tif 000011
【図１０】
2006079108.tif 000012
【図１１】
2006079108.tif 000013
【図１２】
2006079108.tif 000014
【図１３】
2006079108.tif 000015
【図１４】
2006079108.tif 000016
【図１５】
2006079108.tif 000017
【図１６】
2006079108.tif 000018